(57)【要約】【課題】容器本体の開口部に被せた蓋を確実に係合し、密封後の開封を防ぐことができる容器を提供する。【解決手段】蓋２１は、天板２２の周縁から垂下する第１縦壁片２３Ａ及び第２縦壁片２３Ｃと、第１縦壁片２３Ａの下端部にて第１縦壁片２３Ａの内側面に沿うように折り返される折返し片２４Ａと、第２縦壁片２３Ｃの側端から延出して第１縦壁片２３Ａと折返し片２４Ａとの間に介在されて折返し片２４Ａに重ね合わされ、上端部が折返し片２４Ａの上端部と同一の高さ位置に連続する折込片２６とを有する。この蓋２１を開口部１２の上方から容器本体１１に被せて、開口部１２の周縁から下方に向かって延出する舌片１５の下端部の下方に、折返し片２４Ａの上端部及び折込片２６の上端部を対向させて、蓋２１を容器本体１１に係止する。【選択図】図１
2008037428.tif 000002
【特許請求の範囲】
【請求項１】
筒状の胴部と、該胴部の一方端部を開放する開口部と、該開口部の周縁で前記胴部の外側に折り返されて前記胴部の他方端部側に向かって延出する舌片とを有する容器本体に、蓋を被せることによって密封される容器の蓋係止構造において、
前記蓋は、
前記開口部を覆う大きさの天板と、
該天板の周縁で折曲されて垂下する第１縦壁片と、
前記天板の周縁でかつ前記第１縦壁板の側方位置で折曲されて垂下する第２縦壁片と、
前記第１縦壁片の下端部にて前記第１縦壁片の内側面に沿うように折り返されて前記天板に向かって延出し、該延出した上端部が該上端部と前記天板との間に前記舌片の延出長さよりも長い間隔を有して離間する折返し片と、
前記第２縦壁片の側端から延出して前記第１縦壁片と前記折返し片との間に介在されて前記第１縦壁片と前記第２縦壁片とを連結し、前記折返し片と重なり合って前記折返し片の上端部と同一の高さ位置に上端部が連続する折込片とを有し、
前記蓋を前記胴部の一方端部側から前記容器本体に被せることによって、前記第１縦壁片及び前記第２縦壁片を前記胴部の外側面に対峙させ、前記折返し片及び前記折込片と前記天板との間に前記舌片を介在させて、前記折返し片の上端部及び折込片の上端部の上方に、前記舌片の下端部を対向させることを特徴とする容器の蓋係止構造。
【請求項２】
前記第２縦壁片は、
該第２縦壁片の側端から延出して前記第１縦壁片と前記折返し片との間に介在されて前記第１縦壁片と前記第２縦壁片とを連結する連結片と、
前記第２縦壁片の下端部にて前記第２縦壁片の内側面に沿うように折り返されて前記天板に向かって延出し、該延出した上端部が該上端部と前記天板との間に前記舌片の延出長さよりも長い間隔を有して離間する第２折返し片とを有し、
前記折込片が、前記第２折返し片の側端に連設されていることを特徴とする請求項１に記載の容器の蓋係止構造。
【請求項３】
前記容器本体は、表の紙と裏の紙との間に波形の中芯が介在されて接着剤で貼り合わせて作られた板紙によって構成され、前記板紙の中芯が前記折込片の上端部から下端部に亘って延在するように用いられていることを特徴とする請求項１又は２に記載の容器の蓋係止構造。
【発明の詳細な説明】
【技術分野】
【０００１】
本発明は、開口部を有する容器本体に蓋を被せることによって密封される容器の蓋係止構造に関する。
【背景技術】
【０００２】
従来より、使用済みの書類を回収して紙製品に再生するリサイクル活動が行われているが、例えば個人情報や企業の営業秘密等が記載された重要書類は、回収してから処理されるまでの過程においてその情報内容が漏れるおそれがあることから、リサイクルには出されず、一般の燃えるゴミとして焼却処理されていた。
【０００３】
ところが近年における環境問題の関心の高まりから、重要書類も資源ゴミとして再生すべきとの要請があり、回収してから処理されるまでの過程において、その秘密状態を厳重に維持したまま紙製品に再生する重要書類のリサイクル活動も行われるようになっている。
【０００４】
このような重要書類のリサイクルでは、例えば、使用済みの重要書類が逐次に重要書類回収用の段ボール箱内に収容され、満杯になった時点で段ボール箱が密封される。そして、段ボール箱が専門の回収業者等によって回収されてリサイクル工場に搬送され、リサイクル工場で密封状態のまま、溶解炉内に投入されて溶解され、紙製品として再生される。
【０００５】
この段ボール箱には、一般的な梱包用のものが用いられており、その密封作業は、箱上部の複数の折り畳み片を折り畳んで互いに重ね合わせ、粘着テープで固定することによって行われる。
【０００６】
また、従来より、粘着テープを使用せずに密封する容器、例えば容器本体の開口縁部と蓋にそれぞれ係止片を設けて容器本体に蓋を被せて係止片同士を係止させることにより密封する容器等が種々提案されている。
【０００７】
図１２は、従来技術を説明する図である。例えば、組立箱１００は、図１２に示すように、身箱１０１と蓋箱１１１とからなり、身箱１０１は、矩形の底部１０２の各辺部から起立して互いに連設された４枚の側壁部１０３、１０４、１０５、１０６のうち、対向する一対の側壁部１０３、１０５の外側面に、身箱側係止部１０７が切り起こされて形成されている。身箱側係止部１０７は、側壁部１０３、１０５の上端から下方に向かって移行するにしたがって、外方に開くように傾斜している。
【０００８】
一方、蓋箱１１１は、底部１０２よりも若干大きい矩形の天板部１１２の各辺部から垂下して互いに連設された４枚の側壁部１１３、１１４、１１５、１１６のうち、対向しかつ身箱側係止部１０７に対応する一対の側壁部１１３、１１５の内側面に、蓋箱側係止部１１７が切り起こされて形成されている。蓋箱側係止部１１７は、側壁部１１３、１１５のほぼ中央高さ位置から上方に向かって移行するにしたがって、内方に開くように傾斜している。
【０００９】
身箱１０１の上方から蓋箱１１１を被せると、身箱１０１の側壁部１０３、１０４、１０５、１０６の外側面と、蓋箱１１１の側壁部１１３、１１４、１１５、１１６の内側面とが上下に摺接しながら移動し、身箱側係止部１０７と蓋箱側係止部１１７は、上下に離間して互いに対向する位置に配置される。
【００１０】
側壁部１０３、１０５の外側面に切り起こされた身箱側係止部１０７は、蓋箱側係止部１１７よりも上方位置で蓋箱１１１の側壁部１１３、１１５の内側面を所定の付勢力で押接する。そして、側壁部１１３、１１５の内側面に切り起こされた蓋箱側係止部１１７は、身箱側係止部１０７よりも下方位置で身箱１０１の側壁部１０３、１０５の外側面を所定の付勢力で押接する。
【００１１】
かかる状態で、蓋箱１１１を持ち上げると、身箱１０１に対して蓋箱１１１が上方に移動し、身箱側係止部１０７と蓋箱側係止部１１７とが互いに上下に係合し、蓋箱１１１と身箱１０１との分離が防止されるように構成されている（例えば、特許文献１参照）。
【００１２】
【特許文献１】特開昭６２−１２５７２０号公報
【発明の開示】
【発明が解決しようとする課題】
【００１３】
しかしながら、上記段ボール箱の場合、粘着テープをはがすことによって簡単に開封することができ、回収からリサイクルまでの過程において重要書類の内容が漏洩するおそれがあった。
【００１４】
また、上記組立箱１００を重要書類回収用として使用した場合、身箱側係止部１０７と蓋箱側係止部１１７は、身箱１０１の側壁部１０３、１０５、及び蓋箱１１１の側壁部１１３、１１５から切り起こされて形成されているので、身箱１０１に蓋箱１１１を被せるときに、身箱側係止部１０７が、側壁部１１３、１１５によって側壁部１０３、１０５に倣う方向に押され、蓋箱側係止部１１７が、側壁部１０３、１０５によって側壁部１１３、１１５に倣うように押されて、切り起こし元の切欠穴内に入り込んでしまい、身箱側係止部１０７と蓋箱側係止部１１７とを係合させることができなくなるおそれがある。
【００１５】
また、切り起こしの場合、蓋箱側係止部１１７が身箱１０１の側壁部１０３、１０５の内側面を押接する押接力、及び身箱側係止部１０７が蓋箱１１１の側壁部１１３、１１５の内側面を押接する押接力は、組み立て箱１００を構成する部材の剛性に頼らざるを得ず、例えば組立箱１００が紙製である場合には、時間経過に伴う押接力の減少が懸念され、身箱１０１を持ち上げた際に身箱側係止部１０７と蓋箱側係止部１１７とを係合させることができなくなるおそれがある。
【００１６】
したがって、身箱側係止部１０７と蓋箱側係止部１１７の係合が不確実であり、蓋箱１１１を身箱１０１に対して上方に持ち上げた場合に身箱側係止部１０７と蓋箱側係止部１１７とが係合せず、組立箱１００が開封されてしまい、重要書類の内容が漏洩する可能性がある。
【００１７】
また、一般的に切り起こしは係止強度が低く、組立箱１００内に書類などの重量物を入れて蓋箱１１１を持ち上げると、身箱側係止部１０７や蓋箱側係止部１１７が破損するおそれがあり、簡単に開封されてしまい、重要書類の内容が漏洩する可能性がある。
【００１８】
本発明は、これらの点に鑑みなされたものであり、その目的は、容器本体の開口部に被せた蓋を容器本体に確実に係合でき、密封後の開封を防ぐことができる容器を提供することにある。
【課題を解決するための手段】
【００１９】
上記課題を解決する本発明の請求項１に記載の容器の蓋係止構造は、筒状の胴部と、胴部の一方端部を開放する開口部と、開口部の周縁で胴部の外側に折り返されて胴部の他方端側に向かって延出する舌片とを有する容器本体に蓋を被せることによって密封される容器の蓋係止構造において、蓋は、開口部を覆う大きさの天板と、天板の周縁で折曲されて垂下する第１縦壁片と、天板の周縁でかつ第１縦壁板の側方位置で折曲されて垂下する第２縦壁片と、第１縦壁片の下端部にて第１縦壁片の内側面に沿うように折り返されて天板に向かって延出し、その延出した上端部が天板との間に舌片の延出長さよりも長い間隔を有して離間する折返し片と、第２縦壁片の側端から延出して第１縦壁片と折返し片との間に介在されて第１縦壁片と第２縦壁片とを連結し、折返し片と重なり合って折返し片の上端部と同一の高さ位置に上端部が連続する折込片とを有し、蓋を胴部の一方端部側から容器本体に被せることによって、第１縦壁片及び第２縦壁片を胴部の外側面に対峙させ、折返し片及び折込片と天板との間に舌片を介在させて、折返し片の上端部及び折込片の上端部の上方に、舌片の下端部を対向させることを特徴とする。
【００２０】
請求項２に記載の発明は、請求項１に記載の容器の蓋係止構造において、第２縦壁片は、第２縦壁片の側端から延出して第１縦壁片と折返し片との間に介在されて第１縦壁片と第２縦壁片とを連結する連結片と、第２縦壁片の下端部にて第２縦壁片の内側面に沿うように折り返されて天板に向かって延出し、その延出した上端部が天板との間に舌片の延出長さよりも長い間隔を有して離間する第２折返し片とを有し、折込片が、第２折返し片の側端に連設されていることを特徴とする。
【００２１】
請求項３に記載の発明は、請求項１又は２に記載の容器の蓋係止構造において、容器本体は、表の紙と裏の紙との間に波形の中芯が介在されて接着剤で貼り合わせて作られた板紙によって構成され、板紙の中芯が折込片の上端部から下端部に亘って延在するように用いられていることを特徴とする。
【発明の効果】
【００２２】
本発明によると、蓋を開口部の上方から容器本体に被せることによって、蓋の第１縦壁片と第２縦壁片を容器本体の胴部の外側面に対峙させ、折返し片及び折込片と天板との間に舌片を介在させて、折返し片と折込片の互いに連続する各上端部の上方に、舌片の下端部を対向させることができるので、容器本体に対して蓋を取り外す方向に移動させた際に、折返し片の上端部及び折込片の上端部の少なくとも一方を舌片の下端部に下方から当接させて蓋を係止することができる。
【００２３】
特に、舌片の下端部の下方に対向する折返し片と折込片の上端部は、折返し片と折込片を重ね合わせた２枚分の厚さを有していることから、舌片の下端部を折返し片の上端部及び折込片の上端部の少なくとも一方に対して確実に当接させることができ、蓋を容器本体に強固に係止できる。したがって、蓋が容器本体から外されるのを防ぎ、容器の密封状態を確実に維持することができる。
【００２４】
また、折込片を第１縦壁片と折り返し片との間に介在させることによって、第２縦壁片を第１縦壁片と連結しているので、粘着テープや接着剤などを使用することなく、高い連結強度で第１縦壁片と第２縦壁片とを連結することができる。したがって、蓋の破壊行為を困難なものとし、蓋が破壊されて容器が開封されるのを防ぐことができる。
【発明を実施するための最良の形態】
【００２５】
次に、本発明の実施の形態について図に基づいて説明する。図１１は、使用済みの重要書類を回収する回収装置１の構成を説明する図である。
【００２６】
回収装置１は、使用済みの重要書類を投函して回収するために、例えば会社内の各部署、或いは各階に設置される。ここで、重要書類とは、例えば個人情報や営業秘密等、外部への漏洩が禁止され、厳重に管理される情報が記載されている紙製の書類をいう。
【００２７】
回収装置１は、本発明が適用される容器１０を収容する筐体２を有しており、その筐体２の上部には、シャッタ付きの投函口３が設けられている。投函口３は、常時シャッタによって閉塞されており、磁気カードやＩＣカード等の認証媒体を投函口近傍のスロット４に差し込んで所定の認証処理により認証確認を受けた場合にのみシャッタが開き、重要書類を投函することができ、認証媒体を抜き取ることによってシャッタが閉じるようになっている。また、投函口３の近傍には、書類の投函後に、受付番号や溶解証明発行番号等が記載されたレシートを発行するレシート発行手段（図示せず）が設けられている。
【００２８】
筐体２内には、図１に示す蓋２１と図２に示す容器本体１１とからなる容器１０が、容器本体１１の開口部１２を開放した状態で収容されており、投函口３から投函された書類が、開口部１２を通過して容器本体１１内に投入されるようになっている。そして、容器本体１１内に投入された書類をリサイクル工場に搬送するために、筐体２の前面扉２ａを開放して筐体２内から容器１０を取り出すときに、筐体２内で容器１０の蓋２１が自動的に容器本体１１の開口部１２に被せられて、密封されるようになっている。
【００２９】
容器１０が筐体２から取り出されると、専門の回収業者等によってリサイクル工場まで搬送され、書類を収容した状態のままで容器１０ごとリサイクル工場の溶解炉に投入されて溶解され、紙製品に再生されるようになっている。
【００３０】
次に、容器１０の構成について図１〜図１０に基づいて以下に説明する。図１は、蓋２１の全体斜視図、図２は、容器本体１１の全体斜視図、図３は、蓋２１の展開図、図４〜９は、蓋２１の組立順序を説明するための要部拡大図、図１０は、蓋２１の容器本体１１への係止状態を説明する断面図である。
【００３１】
容器１０は容器本体１１と蓋２１とからなり、これら容器本体１１と蓋２１は紙製材料によって構成されている。紙製材料として、本実施の形態では、表の紙（ライナー）と裏の紙（ライナー）との間に波形の中芯（フルート）が介在されて接着剤で貼り合わせて作られた板紙、いわゆる段ボール紙が使用されており、より詳しくは、波形の段高さが４．５〜４．８ｍｍであるＡ段の規格を有する段ボール紙が用いられている。
【００３２】
容器本体１１は、図２に示すように、一方端部である上部が開放され、他方端部である下部が底面板１４によって閉塞された筒状の胴部１３を有している。胴部１３は、４枚の矩形の側面板１３Ａ、１３Ｂ、１３Ｃ、１３Ｄを互いに隣り合う側面板同士で連結することによって形成されており、側面板１３Ａ、１３Ｂ、１３Ｃ、１３Ｄの上下に亘って中芯が延在するように段ボール紙が用いられている。底面板１４は、各側面板１３Ａ、１３Ｂ、１３Ｃ、１３Ｄの下端に各々折曲線を介して連設された複数枚の折り畳み片（図示せず）を組み合わせることによって形成されており、回収装置１に投函される書類よりも若干大きな長方形を有している。
【００３３】
容器本体１１の上部には、各側面板１３Ａ、１３Ｂ、１３Ｃ、１３Ｄの上端部によって開口部１２が形成される。開口部１２の周縁は、底面板１４の各辺部と平行に延在し、４枚の側面板１３Ａ、１３Ｂ、１３Ｃ、１３Ｄのうち、前方の側面板１３Ｃの上端部が、左右及び後方の側面板１３Ａ、１３Ｂ、１３Ｄの上端部よりも一段下がった高さ位置に位置するように形成されている。
【００３４】
この開口部１２の周縁には、蓋２１を係止するための舌片１５が設けられている。舌片１５は、前方の側面板１３Ｃを除く、左右及び後方の側面板Ａ、１３Ｂ、１３Ｄの上端に連設されている。舌片１５は、各側面板Ａ、１３Ｂ、１３Ｄの上端にて外方に折り返されて形成されて、各側面板Ａ、１３Ｂ、１３Ｄの外側に沿って下方に向かって延出し、互いに隣り合う舌片１５同士が連結されている。舌片１５では、段ボール紙の中芯は上下に亘って延在している。そして、前方の側面板１３Ｃの上端部は、舌片１５の下端部とほぼ同じ高さ位置に位置するように形成されている。
【００３５】
上記構成を有する容器本体１１は、潰されて平板状に折り畳まれた状態から胴部１３を筒状に開いて、底面板１４を構成する複数枚の折り畳み片（図示せず）を組み合わせることによって、図２に示す箱状に組み立てることができるようになっている。
【００３６】
蓋２１は、容器本体１１の開口部１２に被せることによって開口部１２を閉塞しかつ容器本体１１に強固に係止される構成を有している。
【００３７】
蓋２１は、上下を逆さまに置いた状態を図１に示すように、矩形の天板２２と、天板２２の周縁から垂下して天板２２の周りを縁取る縁部２３を備えた立体形状を有している。蓋２１は、図３に展開状態を示すように、１枚の段ボール紙からなり、複数の折曲線で折り曲げることによって図１に示す立体形状に組み立てることができるようになっている。
【００３８】
天板２２は、開口部を覆う大きさ、具体的には、容器本体１１の底面板１４よりも若干大きな長方形を有しており、短辺が前方及び後方の側面板１３Ｃ、１３Ｄの上端に対応する長さに形成され、長辺が左右の側面板１３Ａ、１３Ｂの上端に対応する長さに形成されている。そして、段ボール紙の中芯が長辺と平行に延在するように用いられている。
【００３９】
縁部２３は、容器本体１１の開口部１２に被せた状態で側面板１３Ａ、１３Ｂ、１３Ｃ、１３Ｄの外側面に対峙して胴部１３の上部を外周側から囲み、下端が舌片１５の下端部よりも胴部１３の下方に向かって延出する一定の高さ幅を有しており、図３に示すように、４枚の縦壁片２３Ａ、２３Ｂ、２３Ｃ、２３Ｄを備えている。
【００４０】
これら４枚の縦壁片２３Ａ、２３Ｂ、２３Ｃ、２３Ｄは、第１縦壁片２３Ａ、２３Ｂと第２縦壁片２３Ｃ、２３Ｄの２種類からなり、図３に示すように、天板２２を間に介して対向する位置に設けられてそれぞれ対をなしている。具体的には、一対の第１縦壁片２３Ａ、２３Ｂが天板２２の長辺との間に折曲線を介して連設され、一対の第２縦壁片２３Ｃ、２３Ｄが天板２２の短辺との間に折曲線を介して連設されている。
【００４１】
そして、第１縦壁片２３Ａ、２３Ｂには、第１折返し片（折返し片）２４Ａ、２４Ｂがそれぞれ連設されている。第１折返し片２４Ａ、２４Ｂは、第１縦壁片２３Ａ、２３Ｂの下端部に折曲線を介してそれぞれ連設されており、その折曲線で第１縦壁片２３Ａ、２３Ｂの内側面に沿うように折り返されて天板２２に向かって延出し、第１折返し片２４Ａ、２４Ｂの上端部が天板２２との間に舌片１５の延出長さｈよりも長い間隔Ｌ（Ｌ＞ｈ）を有して離間する高さ幅に設定されている（図１０を参照）。
【００４２】
一方、第２縦壁片２３Ｃ、２３Ｄには、連結片２５と第２折返し片２４Ｃ、２４Ｄとが連設されている。連結片２５は、第２縦壁片２３Ｃ、２３Ｄの両側端部にそれぞれ折曲線を介して連設されている。連結片２５は、第２縦壁片２３Ｃ、２３Ｄを、第２縦壁片２３Ｃ、２３Ｄの両側端部にそれぞれ隣り合う第１縦壁片２３Ａ、２３Ｂと連結するためのものであり、第１縦壁片２３Ａ、２３Ｂと第１折返し片２４Ａ、２４Ｂと間に折り込まれて、第１縦壁片２３Ａ、２３Ｂの内側面に上端から下端に亘って接面する大きさを有している。
【００４３】
第２折返し片２４Ｃは、第２縦壁片２３Ｃ、２３Ｄの下端部に折曲線を介して連設されており、その折曲線で第２縦壁片２３Ｃ、２３Ｄの内側面に沿うように折り返されて天板２２に向かって延出し、第２折返し片２４Ｃ、２４Ｄの上端部が天板２２との間に舌片１５の突出長さｈよりも長い間隔Ｌを形成する高さ幅に設定されており、第１折返し片２４Ａ、２４Ｂの上端部と同一の高さ位置に位置して連続するように形成されている。
【００４４】
そして、第２折返し片２４Ｃ、２４Ｄには、折込片２６が設けられている。折込片２６は、第２折返し片２４Ｃ、２４Ｄの両側端部にそれぞれ折曲線を介して連設されている。折込片２６は、第１縦壁片２３Ａと第１折返し片２４Ａとの間、及び第１縦壁片２３Ｂと第１折返し片２４Ｂとの間に、それぞれ連結片２５と共に折り込まれて介在される。そして、上端部が第１折返し片２４Ａ、２４Ｂの上端部と同一高さに連続し、折込片２６の上端部と天板２２との間に舌片１５の突出幅ｈよりも長い間隔Ｌを形成するように構成されている。
【００４５】
第２折返し片２４Ｃ、２４Ｄの両側端には、切欠部２７が設けられている。切欠部２７は、折込片２６との折曲線に沿って上端から所定高さに亘って切り欠いて形成されており、第１折返し片２４Ａ、２４Ｂの両側端に突設された差込片２８を差し込むことができ、蓋２１を組立状態に固定できるようになっている。
【００４６】
尚、第１縦壁片２３Ａ、２３Ｂ及び第１折返し片２４Ａ、２４Ｂでは、段ボール紙の中芯が天板２２と平行に延在し、第２縦壁片２３Ｃ、２３Ｄ、第２折返し片２４Ｃ、２４Ｄ、連結片２５、折込片２６では、段ボール紙の中芯が天板２２に対して直交する方向に沿って延在している。
【００４７】
上記構成を有する蓋２１の組立方法を以下に説明する。
【００４８】
まずは、図３に示す展開状態から、第２縦壁片２３Ｃ、２３Ｄを天板２２との折曲線で天板２２の下面側にそれぞれ折り曲げて、天板２２に対して垂下させる（例えば、図４を参照）。
【００４９】
次いで、連結片２５を、第２縦壁片２３Ｃ、２３Ｂとの折曲線で天板２２側に折り曲げると共に、各折込片２６を、第２折返し片２４Ｃ、２４Ｄとの折曲線で連結片２５と離間する側に折り曲げる（例えば、図５を参照）。
【００５０】
それから、各第２折返し片２４Ｃ、２４Ｄを、各第２縦壁片２３Ｃ、２３Ｄとの折曲線で内方に折り返し、各第２縦壁片２３Ｃ、２３Ｄの内側面に各々沿わせると共に、各折込片２６を各連結片２５の内側面に重ね合わせる（例えば、図６を参照）。
【００５１】
そして、各第１縦壁片２３Ａ、２３Ｂを、天板２２との折曲線で天板２２の下面側に折り曲げて、天板２２に対して垂下させて連結片２５の外側面に重ね合わせる（例えば、図７を参照）。そして、第１折返し片２４Ａ、２４Ｂを、第１縦壁片２３Ａ、２３Ｂとの折曲線で内方に折り返し、第１縦壁片２３Ａと第１折返し片２４Ａとの間、第１縦壁片２３Ｂと第１折返し片２４Ｂとの間に、連結片２５と折込片２６をそれぞれ介在させる（例えば、図８を参照）。そして、第１折返し片２４Ａ、２４Ｂの両側端の差込片２８を切欠部２７に差し込み、かかる折り返し状態に固定する。
【００５２】
以上の作業によって、蓋２１は図１に示す状態に組み立てられ、粘着テープや接着剤を用いることなく、簡単かつ迅速に組み立てることができる。そして、折込片２６が折返し片２４Ａ、２４Ｂとそれぞれ重なり合い、折込片２６の上端部が第１折返し片２４Ａ、２４Ｂの上端部と同一の高さ位置に連続して並び、これらの上方に、舌片１５の突出幅ｈよりも長い高さ幅Ｌと、段ボール紙２枚分の厚さ幅Ｄとを有する間隙が形成される（例えば、図１０を参照）。
【００５３】
上記構成を有する蓋２１を開口部１２の上方から容器本体１１に被せると、容器本体１１の左右の側面板１３Ａ、１３Ｂの外側面と蓋２１の第１縦壁片２３Ａ、２３Ｂの内側面とが対峙し、容器本体１１の前後の側面板１３Ｃ、１３Ｄの外側面と、蓋２１の第２縦壁片２３Ｃ、２３Ｄの内側面とが対峙し、蓋２１の第１折返し片２４Ａ、２４Ｂ、及び第２折返し片２４Ｄと、側面板１３Ａ、１３Ｂ、１３Ｃの各舌片１５とが摺接しながら相対的に上下に移動する。
【００５４】
そして、側面板１３Ａ、１３Ｂの舌片１５の下端部が第１折返し片２４Ａ、２４Ｂの上端部よりも上方に移動することによって、側面板１３Ａ、１３Ｂの舌片１５が第１折返し片２４Ａ、２４Ｂの上方に形成された間隙に入り込み、その舌片１５の下端部の下方に、第１折返し片２４Ａ、２４Ｂの上端部及び折込片２６の上端部が対向して上下に配置される。
【００５５】
また、側面板１３Ｄの舌片１５の下端部が第２折返し片２４Ｄの上端部よりも上方に移動することによって、側面板１３Ｄの舌片１５が第２折返し片２４Ｄの上方に形成された間隙に入り込み、その舌片１５の下端部の下方に、第２折返し片２４Ｄの上端部が対向して上下に配置される。
【００５６】
したがって、かかる状態で蓋２１を持ち上げた際に、後方の側面板１３Ｄに設けられた舌片１５の下端部を第２折返し片２４Ｄの上端部に当接させると共に、左右の側面板１３Ａ、１３Ｂに設けられた舌片１５の下端部を第１折返し片２４Ａ，２４Ｂの上端部及び折込片２６の上端部の少なくとも一方に当接させることができる。
【００５７】
ここで特に、第１折返し片２４Ａ、２４Ｂと折込片２６の上方には、舌片１５の２枚分の厚さ幅を有する間隙Ｄが、側面板１３Ａ、１３Ｂの上端部全長に亘って形成されていることから、側面板１３Ａ、１３Ｂの舌片１５の下端部を第１折返し片２４Ａ、２４Ｂの上端部及び折込片２６の上端部の少なくとも一方に確実に当接させることができる。
【００５８】
また、蓋２１を開けることを目的として、第１折返し片２３Ａ、２３Ｂの下方から、側面板１３Ａ、１３Ｂと第１折返し片２４Ａ、２４Ｂとの間に指先や棒状部材の先端を差し込んだ場合、これらの指先や棒状部材の先端は、舌片１５と側面板１３Ａ、１３Ｂとの間に挿入されることとなる。
【００５９】
したがって、かかる場合、舌片１５の下端部と、第１折返し片２４Ａ、２４Ｂの上端部及び折込片２６の上端部との対向を解除することはできず、舌片１５の下端部を側面板１３Ａ、１３Ｂから離間させて第１縦壁片２３Ａ、２３Ｂに接近する方向に広げて、舌片１５の下端部と、第１折返し片２４Ａ、２４Ｂの上端部及び折込片２６の上端部との対向をより確実なものにすることとなる。
【００６０】
したがって、蓋２１を容器本体１１に強固に係止し、蓋２１の容器本体１１に対する更なる上方への移動を妨げることができる。そして、蓋２１が容器本体１１から取り外されるのを防止して、容器１０の密封状態を確実に維持することができる。
【００６１】
また、舌片１５と折込片２６では、段ボール紙の中芯が上下に亘って延在するように段ボール紙が用いられていることから、上下方向の力に対して抗力が強い。したがって、容器本体１１内に例えば２０Ｋｇ程度の比較的重い重量物を入れて蓋２１を閉じ、その蓋２１を持ち上げた場合にも十分に耐えることができ、蓋２１が壊れることなく容器１０全体を上方に持ち上げることができる。
【００６２】
また、上記実施の形態では、第１縦壁片２３Ａ、２３Ｂと第１折返し片２４Ａ、２４Ｂとの間に、連結片２５と折込片２６とを介在させて、互いに隣り合う第１縦壁片２３Ａ、２３Ｂと第２縦壁片２３Ｃ、２３Ｄとを連結しているので、粘着テープや接着剤などを使用することなく、高い連結強度で第１縦壁片２４Ａ、２４Ｂと第２縦壁片２４Ｃ、２４Ｄとを連結することができる。したがって、かかる連結部分の破壊行為を困難なものとし、蓋２１の破壊による容器１０の開封を防ぐことができる。
【００６３】
また、上述の容器１０は、非使用状態では容器本体１１が平板状に折り畳まれ、蓋２１が図３に示す展開状態とされて、使用時に組み立てられるように構成されている。したがって、非使用状態における占有スペースを小さくすることができ、収納場所の確保を容易なものにすることができる。また、容器本体１１及び蓋２１の組み立てに、粘着テープや接着剤を用いる必要がなく、簡単かつ迅速に組み立てることができる。
【００６４】
本発明は、上述の実施の形態に限定されるものではなく、本発明の趣旨を逸脱しない範囲で種々の変更が可能である。例えば、上述の実施の形態では、前方の側面板１３Ｃには舌片１５を設けていないが、後方の側面板１３Ｄと同様に、前方の側面板１３Ｃに舌片１５を設けてもよい。
【００６５】
かかる構成を採用することにより、蓋２１を被せた場合に、前方の側面板１３Ｃに設けられた舌片１５の下端部と第２折返し片２４Ｃの上端部とを上下に対向させ、蓋２１を持ち上げたときに互いに当接させることができる。したがって、更に強固に蓋２１を係止することができ、容器１１の密封状態の維持をより確実なものにすることができる。
【００６６】
また、上述の実施の形態では、蓋２１と容器本体１１とが完全に分離した構成の場合を例に説明したが、容器本体１１と蓋２１とがヒンジ部を介して連結された構成を採用してもよい。例えば、上述の実施の形態における容器本体１１の前方の側面板１３Ｃと蓋２１の第２縦壁片２４Ｃとを折曲線を間に介して互いに連設し、その折曲線をヒンジ部として蓋２１を回動させることにより、開口部１２に被せて、第１折返し片２４Ａ、２４Ｂの上端部と折込片２６の上端部の少なくとも一方と、舌片１５の下端部とを上下に対向させ、蓋２１を係止する構成としてもよい。
【図面の簡単な説明】
【００６７】
【図１】蓋の全体斜視図である。
【図２】容器本体の全体斜視図である。
【図３】蓋の展開図である。
【図４】蓋の組立順序を説明するための要部拡大図である。
【図５】蓋の組立順序を説明するための要部拡大図である。
【図６】蓋の組立順序を説明するための要部拡大図である。
【図７】蓋の組立順序を説明するための要部拡大図である。
【図８】蓋の組立順序を説明するための要部拡大図である。
【図９】蓋の組立順序を説明するための要部拡大図である。
【図１０】蓋と容器本体との係合状態を説明する断面図である。
【図１１】使用済みの重要書類を回収する回収装置の構成を説明する図である。
【図１２】従来技術を説明する図である。
【符号の説明】
【００６８】
１  回収装置
１０  容器
１１  容器本体
１２  開口部
１３  胴部
１３Ａ、１３Ｂ、１３Ｃ、１３Ｄ  側面板
１４  底面板
１５  舌片
２１  蓋
２２  天板
２３  縁部
２３Ａ、２３Ｂ  第１縦壁片
２３Ｃ、２３Ｄ  第２縦壁片
２４Ａ、２４Ｂ  第１折返し片（折返し片）
２４Ｃ、２４Ｄ  第２折返し片
２５  連結片
２６  折込片
２７  切欠部
２８  差込片
【図１】
2008037428.tif 000003
【図２】
2008037428.tif 000004
【図３】
2008037428.tif 000005
【図４】
2008037428.tif 000006
【図５】
2008037428.tif 000007
【図６】
2008037428.tif 000008
【図７】
2008037428.tif 000009
【図８】
2008037428.tif 000010
【図９】
2008037428.tif 000011
【図１０】
2008037428.tif 000012
【図１１】
2008037428.tif 000013
【図１２】
2008037428.tif 000014